(57)【要約】【課題】駆動用ＩＣと外部との配線板との間にクリアランスが不要で、狭額縁化を実現でき、配線の低抵抗化を図ることが可能な駆動用集積モジュール、表示装置およびそれ用いた電子機器を提供する。【解決手段】表示画素領域を含む表示パネル２１と、表示パネル２１を駆動する信号を処理する集積モジュール２２と、表示パネル２１外からの信号を供給するためのフレキシブル配線板と、を有し、集積モジュール２２は、第１の接続部２２１と、第２の接続部２２２とを含み、第１の接続部２２１は表示パネル２１と接続され、第２の接続部２２２はフレキシブル配線板２３に接続されている。【選択図】図５
2008165034.tif 000002
【特許請求の範囲】
【請求項１】
少なくとも一つのドライブ機能が搭載されて集積化され、
前記集積化されたモジュールの一面部に、
所定間隙部を介して第１の接続部と第２の接続部とが並列に形成されている
集積モジュール。
【請求項２】
前記第１の接続部はデバイスパネルの一縁部に形成された接続部と接続され、
前記第２の接続部はデバイスパネル外でパネル外からの信号を供給するための配線板が接続される
請求項１記載の集積モジュール。
【請求項３】
表示画素領域を含む表示パネルと、
前記表示パネルを駆動する信号を処理する集積モジュールと、
前記表示パネル外からの信号を供給するためのフレキシブル配線板と
を有し、
前記集積モジュールは、第１の接続部と、第２の接続部とを含み、
前記第１の接続部は前記表示パネルと接続され、前記第２の接続部は前記フレキシブル配線板に接続されている
表示装置。
【請求項４】
前記集積モジュールは、前記駆動信号を処理するための複数のドライバが搭載されて集積化されている
請求項３記載の表示装置。
【請求項５】
前記第１の接続部と前記第２の接続部は、前記集積モジュールの同一面に形成されている  請求項３記載の表示装置。
【請求項６】
前記集積モジュールは、前記第１の接続部が前記表示パネル上に配置されている
請求項３記載の表示装置。
【請求項７】
前記集積モジュールは、前記第１の接続部が前記表示パネル上に配置されている
請求項５記載の表示装置。
【請求項８】
前記集積モジュールの第１の接続部と前記表示パネルの接続部との間、および前記集積モジュールの第２の接続部と前記フレキシブル配線板の接続部との間のうち、少なくとも一方に異方性導電膜が配置されている
請求項３記載の表示装置。
【請求項９】
前記異方性導電膜は０．５ｍｍから１．２ｍｍである
請求項８記載の表示装置。
【請求項１０】
前記表示パネルは
基板に形成された表示画素領域と、
集積モジュールの第１の接続部と接続するため、基板の一縁部に形成された接続部と、を有し、
前記基板の接続部は、前記表示画素領域の形成に用いられる導電材料と同じ導電材料により形成されている
請求項３記載の表示装置。
【請求項１１】
前記接続部は、前記表示画素領域の配線および／または電極と同じ導電材料により形成されている
請求項１０記載の表示装置。
【請求項１２】
少なくとも前記集積モジュールと前記フレキシブル配線板との接続領域を保護する保護部を有する
請求項７記載の表示装置。
【請求項１３】
前記保護部は、前記表示パネル側から前記集積モジュールと前記フレキシブル配線板との接続領域に延びるように形成され、
前記表示装置の前記フレキシブル配線板を配置している側における最も外側と、前記集積モジュールの一表面と、前記保護部の一表面とが同一面内にある
請求項１２記載の表示装置。
【請求項１４】
少なくとも前記集積モジュールと前記フレキシブル配線板との接続部を支持する支持部を有する
請求項７記載の表示装置。
【請求項１５】
表示装置を備えた電子機器であって、
上記表示装置は、
表示画素領域を含む表示パネルと、
前記表示パネルを駆動する信号を処理する集積モジュールと、
前記表示パネル外からの信号を供給するためのフレキシブル配線板と
を有し、
前記集積モジュールは、第１の接続部と、第２の接続部とを含み、
前記第１の接続部は前記表示パネルと接続され、前記第２の接続部は前記フレキシブル配線板に接続されている
電子機器。
【発明の詳細な説明】
【技術分野】
【０００１】
本発明は、パネルに駆動用集積回路（ＩＣ）等を搭載した液晶表示装置等の表示装置およびそれを用いた電子機器に関するものである。
【背景技術】
【０００２】
近年、携帯電話機やＰＤＡ(Personal Digital Assistants)などの携帯端末の普及がめざましい。これら携帯端末の急速な普及の要因の一つとして、その出力表示部として搭載されている液晶表示装置が挙げられる。その理由は、液晶表示装置が原理的に駆動するための電力を要しない特性を持ち、低消費電力の表示デバイスであるためである。
【０００３】
液晶表示装置は、一般的に、液晶表示パネルに有効表示領域が形成され、また、駆動用ＩＣや駆動用ＩＣを外部と接続するためのフレキシブル配線版等が実装されている。
そして、液晶表示パネルにおける狭額縁化に関する技術が種々提案されている（たとえば、特許文献１〜３参照）
【０００４】
図１は、一般的な液晶表示装置の構成例を示す側面図であり、図２は、一般的な液晶表示装置の構成例を示す正面図である。
【０００５】
液晶表示装置１０は、図１および図２に示すように、スイッチング素子等として薄膜トランジスタ（ＴＦＴ；thin film transistor）が表示領域１１ａ等に形成される液晶表示パネル１１、液晶表示パネル１１の一縁部（辺部）に実装された駆動用ＩＣ１２、駆動用ＩＣ１２とパネル１１上に形成された配線１３により接続されるフレキシブル配線板１４、および表示領域１１ａの両面側に配置された偏光板１５，１６を有している。
【０００６】
駆動用ＩＣ１２は、ＩＣ実装用異方性導電膜（ＡＣＦ：Anisotropic Conductive Film）１７を用いて、また、フレキシブル配線板１４はフレキシブル配線板実装用ＡＣＦ１８を用いて、それぞれ液晶表示パネル１１に実装されている。
【特許文献１】特開２００１−３３７６２号公報
【特許文献２】特開平８−２２３２２７号公報
【特許文献３】特開２００５−２５７８９９号公報
【発明の開示】
【発明が解決しようとする課題】
【０００７】
しかしながら、上述した一般的な液晶表示装置においては、液晶表示パネル面に対して、２つの部品、すなわち駆動用ＩＣ１２とフレキシブル配線板１４が、配線１３を介して（所定の間隔をおいて）実装されているため、額縁が広くなり、商品価値を落としていた。換言すれば、駆動用ＩＣ１２とフレキシブル配線板１４の間には、クリアランスが必要であることから、狭額縁化の実現を困難にしていた。
また、フレキシブル配線板１４から駆動用ＩＣ１２を通って液晶表示パネルに達するまで配線が長くなり、抵抗が高くなってしまう問題があった。
【０００８】
また、特許文献１〜３に開示された狭額縁化に対応した技術では、ＴＣＰ実装された駆動用ＩＣをフレキシブル配線板と接続する等、駆動用ＩＣとフレキシブル配線板とが直接的に接続されていないことから、両者の間にはクリアランスを要し、さらなる狭額縁化の実現を妨げている。
【０００９】
本発明は、駆動用ＩＣと外部との配線板との間にクリアランスが不要で、狭額縁化を実現でき、配線の低抵抗化を図ることが可能な駆動用集積モジュール、表示装置およびそれ用いた電子機器を提供することにある。
【課題を解決するための手段】
【００１０】
本発明の第１の観点の集積モジュールは、少なくとも一つのドライブ機能が搭載されて集積化され、前記集積化されたモジュールの一面部に、所定間隙部を介して第１の接続部と第２の接続部とが並列に形成されている。
【００１１】
好適には、前記第１の接続部はデバイスパネルの一縁部に形成された接続部と接続され、前記第２の接続部はデバイスパネル外でパネル外からの信号を供給するための配線板が接続される。
【００１２】
本発明の第２の観点の表示装置は、表示画素領域を含む表示パネルと、前記表示パネルを駆動する信号を処理する集積モジュールと、前記表示パネル外からの信号を供給するためのフレキシブル配線板とを有し、前記集積モジュールは、第１の接続部と、第２の接続部とを含み、前記第１の接続部は前記表示パネルと接続され、前記第２の接続部は前記フレキシブル配線板に接続されている。
【００１３】
好適には、前記集積モジュールは、前記駆動信号を処理するための複数のドライバが搭載されて集積化されている。
【００１４】
好適には、前記第１の接続部と前記第２の接続部は、前記集積モジュールの同一面に形成されている。
【００１５】
好適には、前記集積モジュールは、前記第１の接続部が前記表示パネル上に配置されている。
【００１６】
好適には、前記集積モジュールの第１の接続部と前記表示パネルの接続部との間、および前記集積モジュールの第２の接続部と前記フレキシブル配線板の接続部との間のうち、少なくとも一方に異方性導電膜が配置されている。
【００１７】
好適には、前記表示パネルは、基板に形成された表示画素領域と、集積モジュールの第１の接続部と接続するため、基板の一縁部に形成された接続部と、を有し、前記基板の接続部は、前記表示画素領域の形成に用いられる導電材料と同じ導電材料により形成されている。
【００１８】
好適には、前記接続部は、前記表示画素領域の配線および／または電極と同じ導電材料により形成されている。
【００１９】
好適には、少なくとも前記集積モジュールと前記フレキシブル配線板との接続領域を保護する保護部を有する。
【００２０】
好適には、前記保護部は、前記表示パネル側から前記集積モジュールと前記フレキシブル配線板との接続領域に延びるように形成され、前記表示装置の前記フレキシブル配線板を配置している側における最も外側と、前記集積モジュールの一表面と、前記保護部の一表面とが同一面内にある。
【００２１】
好適には、少なくとも前記集積モジュールと前記フレキシブル配線板との接続部を支持する支持部を有する。
【００２２】
本発明の第３の観点は、表示装置を備えた電子機器であって、上記表示装置は、表示画素領域を含む表示パネルと、前記表示パネルを駆動する信号を処理する集積モジュールと、前記表示パネル外からの信号を供給するためのフレキシブル配線板とを有し、前記集積モジュールは、第１の接続部と、第２の接続部とを含み、前記第１の接続部は前記表示パネルと接続され、前記第２の接続部は前記フレキシブル配線板に接続されている。
【発明の効果】
【００２３】
本発明によれば、駆動用ＩＣと外部との配線板との間にクリアランスをなくすことができ、狭額縁化を実現でき、ひいては配線の低抵抗化を図ることができる。
【発明を実施するための最良の形態】
【００２４】
以下、本発明の実施の形態について図面に関連付けて詳細に説明する。
【００２５】
＜第１実施形態＞
図３は、本発明の第１の実施形態に係る液晶表示装置の構成例を示す側面図であり、図４は、本発明の第１の実施形態に係る液晶表示装置の構成例を示す正面図である。
【００２６】
液晶表示装置２０は、図３および図４に示すように、スイッチング素子等としてＴＦＴが表示画素領域２１ａ等に形成される液晶表示パネル２１、液晶表示パネル２１の一縁部（辺部）２１ｂに一部が実装された液晶表示パネル２１の所定部を駆動する信号を処理する駆動用集積モジュールとしての駆動用ＩＣ２２、駆動用ＩＣ２２と配線を介さず液晶表示パネル２１外で直接的に接続される液晶表示パネル外からの信号を供給するためのフレキシブル配線板２３、および表示領域２１ａの両面側に配置された偏光板２４，２５を有している。
【００２７】
液晶表示パネル２１は、２つのガラス基板２１１，２１２の間に液晶を封入してマトリクス状に配列された複数の画素部が形成されて、ガラス基板２１１，２１２の各液晶封入側面と異なる外面側には入射光と出射光との偏光面を揃えるための偏光板２４，２５がそれぞれ配置されている。
【００２８】
液晶表示パネル２１を形成するガラス基板２１１の一縁部２１ｂ上には、駆動用ＩＣ２２の一部である液晶表示パネル２１との接続部（第１の接続部）２２１が配置されている。そして、駆動用ＩＣ２２の第１の接続部２２１と所定間隔をおいて形成されたフレキシブル配線板２３との接続部（第２の接続部）２２２は液晶表示パネル２１の外部に位置している。
【００２９】
駆動用ＩＣ２２は、駆動信号を処理するため、複数のドライバが配置され、各ドライバは全て一つに集中させて集積モジュール化されている。
【００３０】
駆動用ＩＣ２２に配置されるドライバとしては、たとえば以下に示すような機能を有する。
【００３１】
ＩＣ機能：
１）液晶表示パネル用電源内蔵、
２）メモリ、
３）ソースドライバ、
４）発振器搭載、
５）画像拡大機能、
６）誤差拡散機能、
７）クロマキー機能、
８）LEDドライバ内蔵、
９）ＰＷＭ出力（ＬＥＤコントロール用パルス）、
１０）画素補完機能、
１１）マスクビットライト機能、
１２）カラーパレット機能、
１３）オーバードライブ機能（動画対策）、
１４）画像処理エンジン、
１５）スクロール機能、
１６）パーシャル機能、
１７）8色モード機能、
等である。
【００３２】
図５は、本実施形態に係る駆動用ＩＣ２２の液晶表示パネル２１およびフレキシブル配線板２３との接続構造例を示す図である。
また、図６は、本実施形態に係る駆動用ＩＣ２２の第１および第２の接続部の配置例を示す図である。
【００３３】
本実施形態に係る駆動用ＩＣ２２は、複数のドライバを集積化したいわゆる直方体状に形成されており、その接続部面（底面）２２ａに所定間隙部２２３をおいて第１の接続部２２１と第２の接続部２２２が形成されている。
なお、間隙部２２３の存在により実装したときの応力等を緩和することが可能となっている。
【００３４】
第１の接続部２２１は、液晶表示パネル２１の一縁部２１ｂ（の端部）に形成された接続部２１ｃと接続される。第１の接続部２２１は、駆動用ＩＣ２２の接続部面２２ａの長手方向に一縁部２２ｂ側に複数の接続端子２２１１が複数列（図６の例では２列）配置されて形成されている。
【００３５】
第２の接続部２２２は、フレキシブル配線板２３の接続部２３４と接続される。第２の接続部２２２は、駆動用ＩＣ２２の接続部面２２ａの長手方向に他縁部２２ｃ側に複数の接続端子２２２１が１または複数列（図６の例では１列）配置されて形成されている。
【００３６】
なお、第１の接続部２２１の接続端子２２１１の大きさは、第２の接続部２２２の接続端子２２２１の１／２程度にされている。
接続端子２２１１および接続端子２２２１は同様の構造を有している。具体的には、接続用のバンプ２２４と、バンプ２２４に形成された金メッキ部２２５の積層構造を有している。
【００３７】
液晶表示パネル２１の一縁部２１ｂ（の端部）に形成された接続部２１ｃは、たとえばＩＴＯやＴｉＡｌ等により形成される。ＩＴＯが画素電極に用いられ、ＴｉＡｌも信号配線等に用いられることから、表示画素領域２１ａのプロセスを適用することができる。
また、ＴｉＡｌを配線部２１ｃに適用する場合には、Ｔｉ（チタン）が傷に強い（傷がつきにくい）ため、耐久性等の観点から有利である。
また、配線部２１ｃは低抵抗化が求められることから、たとえば図７に示すように、ＴｉＡｌＭｏの多層配線とすることが好ましい。Ｍｏ（モリブデン）はたとえばボトムゲート型ＴＦＴのゲート電極配線に用いられることから、表示画素領域２１ａのプロセスを適用することができる。
【００３８】
フレキシブル配線２３は、たとえば図５に示すように、ポリイミド層２３１，２３２で導電層（たとえばＣｕ）２３３を挟んだ構造を有し、その接続部２３４はポリイミド層２３１が形成されておらず導電層２３３が露出した状態となっている。
【００３９】
そして、駆動用ＩＣ２２の第１の接続部２２１と液晶表示パネル２１の接続部２１ｃとはＩＣ実装用ＡＣＦ（ＩＣ実装用異方性導電膜，ＡＣＦ：Anisotropic Conductive Film）２７を介して接続される。
また、駆動用ＩＣ２２の第２の接続部２２２とフレキシブル配線板２３の接続部２３４とはフレキシブル配線板実装用ＡＣＦ２７を介して接続される。
【００４０】
ＡＣＦ２６，２７は、接着剤の機能を有する絶縁性の合成樹脂中に、多数の導電粒子および絶縁粒子を分散させて形成されている。
【００４１】
このように、本実施形態においては、駆動用ＩＣ２２が、ＡＣＦ２６，２７を用いて駆動用ＩＣ２２の第１の接続部２２１と液晶表示パネル２１の接続部２１ｃとを接続し、駆動用ＩＣ２２の第２の接続部２２２とフレキシブル配線板２３の接続部２３４とを接続して、実装される。
【００４２】
この実装では、液晶表示パネル２１上には駆動用ＩＣ２２の第１の接続部２２１が配置され、他の領域、間隙部２２３の大部分と第２の接続部２２２はパネル外部に位置する。
すなわち、本実施形態では、フレキシブル配線板２３は、液晶表示パネル２１には実装せず、駆動用ＩＣ２２に直接フレキシブル配線板２３を実装している。
【００４３】
すなわち、液晶表示装置デジタルインターフェース化のため液晶表示パネル２１面へ駆動用ＩＣ２２が実装され、フレキシブル配線板２３に関しては、液晶表示パネル２１を動作させるに必要な各種電源、グランドライン、信号を取り出すのに用いられる。
各構成部材の取り付けに関しては、液晶表示パネル面へのＩＣ実装、および駆動用ＩＣ２２へのフレキシブル配線板２３の実装は各々導電性粒子を含んだＡＣＦ（バインダ）２６，２７で圧着し、回路を形成させる。
【００４４】
この構造によって、一般的な液晶表示装置において、駆動用ＩＣ幅、フレキシブル配線実装部分の幅、各々のクリアランスで限定されていた額縁が、駆動用ＩＣ２２の幅のみに律速することになり、大幅な狭額縁化を実現し商品価値を上げる。
特に、図８において、一般的な液晶表示装置（図１）１０と本第１の実施形態に係る液晶表示装置２０とを比較して示すように、ＩＣ２２とフレキシブル配線２５間の接続配線を液晶表示パネル上で形成する必要が無くなり、額縁の小型化はもちろんのこと、液晶表示パネルの理収向上にも繋げられるという利点がある。
【００４５】
また、これまでは、ＡＣＦを用いて駆動用ＩＣ２２等を液晶表示パネル２１に実装するに際し、液晶表示パネル２１のガラス基板２１１のサイズがＡＣＦのサイズに依存していたが、本実施形態の実装構造により、ＡＣＦを自由なサイズにできるようになることから、ガラス基板のサイズもＡＣＦサイズに依存せずに選定できるため、さらなるを実現することが可能である。
【００４６】
ＡＣＦの幅に関して、今までは１．５ｍｍ〜３ｍｍ程度のものを採用していたが、本実施形態により、０．５ｍｍ〜１．２ｍｍ程度のものを採用できるようになり、さらなる狭額縁化へ寄与することになる。
【００４７】
＜第２実施形態＞
図９は、本発明の第２の実施形態に係る液晶表示装置の構成例を示す正面図である。
【００４８】
本第２の実施形態の液晶表示装置２０Ａが第１の実施形態の液晶表示装置２０と異なる点は、駆動用ＩＣを小型化したことにある。
【００４９】
前述したように、狭額縁化に伴い、駆動用ＩＣ２２Ａからフレキシブル配線板２４までの液晶表示パネル配線抵抗、およびフレキシブル配線板２３と液晶表示パネル２１の実装抵抗が削減できる。
このため、駆動に必要な最小抵抗値を総合的に考慮した場合、駆動用ＩＣ２２Ａと液晶表示パネル２１の接続抵抗は多少上昇してもかまわないことになり、ＩＣの接続端子であるバンプ面積縮小、液晶表示装置のパターン面積縮小を実施すれば駆動用ＩＣ２２Ａを小型化できる。
その結果、駆動用ＩＣの理収向上、低価格化を実現でき、第１の実施形態の図３と比較し額縁に関して更に小型化可能である。
【００５０】
＜第３実施形態＞
図１０は、本発明の第３の実施形態に係る液晶表示装置の構成例を示す側面図である。
【００５１】
液晶表示装置２０Ｂは、製品化するにあたって、強度アップ、ガラス保護、組みやすさのためにプレス加工品、モールド樹脂品で覆われる。
本第３の実施形態においては、図１０に示すように、駆動用IC22の背面側に、ガラス基板２１１の外面から駆動用ＩＣ２２の背面側に、プレス加工品、モールド樹脂品による保護部３０を形成している。
保護部３０は、たとえば駆動用ＩＣ２２の接続面との間にはデバイス間の誤差を吸収するための所定の間隙３１を持つように形成されている。
【００５２】
保護部３０の存在により、液晶表示パネル２１が外部に出ているＩＣ２２の第２の接続部２２２のフレキシブル配線板２３の接続部２３４との接続領域を保護するとともに、その領域の大きな曲がりなどを防止し、接続状態を安定に保持できる。
また、保護部３０の外側面３２と駆動用ＩＣ２２の側面２２ｄとがガラス基板２１１の側面から略同一の距離となる、換言すれば保護部３０の外側面３２を駆動用ＩＣ２２の側面２２ｄとが略同位置となる（同一線上にある）ように形成することにより、保護部３０との機能を保持しつ、広額縁化を防止することが可能である。
【００５３】
本第３の実施形態によれば、図１１において、一般的な液晶表示装置（図１）１０と本第３の実施形態に係る液晶表示装置２０Ｂとを比較して示すように、ＩＣ２２とフレキシブル配線２３間の接続配線を液晶表示パネル上で形成する必要が無くなり、額縁の小型化はもちろんのこと、液晶表示パネルの理収向上にも繋げられるという利点がある。
【００５４】
＜第４実施形態＞
図１２は、本発明の第４の実施形態に係る液晶表示装置の構成例を示す側面図である。
【００５５】
本第４の実施形態に係る液晶表示装置２０Ｃは、製品化するにあたって、配線腐食対策等で塗布する紫外線（ＵＶ）硬化型樹脂を、図１２に示すように塗布することによって、防塵対策等を図ることはもとより、液晶表示パネル２１が外部に出ているＩＣ２２の第２の接続部２２２のフレキシブル配線板２３の接続部２３４との接続領域を保護するとともに、安定な基板の主面に対して安定な水平位置を保持する支持部４０を有する。
【００５６】
本第４の実施形態によれば、図１３において、一般的な液晶表示装置（図１）１０と本第４の実施形態に係る液晶表示装置２０Ｃとを比較して示すように、ＩＣ２２とフレキシブル配線２３間の接続配線を液晶表示パネル上で形成する必要が無くなり、額縁の小型化はもちろんのこと、液晶表示パネルの理収向上にも繋げられるという利点がある。
また、この場合、ＵＶ硬化型樹脂の塗布箇所も駆動用ＩＣ２２の側面２２ｅと液晶表示パネル２１との間の塗布部４１、並びにガラス基板２１１の側面と晶表示パネル２１が外部に出ているＩＣ２２の第２の接続部２２２のフレキシブル配線板２３の接続部２３４との接続領域を保護しかつ支持する支持部４０を形成する塗布部４２との２箇所と、一般的な液晶表示装置１０Ｃの場合の３箇所から削減することが可能となる。
その結果、液晶表示装置作製プロセスの短縮、コストダウンへも繋げられる。
【００５７】
以上説明したように、本実施形態によれば、液晶表示パネル駆動用ＩＣに直接フレキシブル配線板（FPC）を実装した表示装置を構成することができることから、以下の効果を得ることができる。
液晶表示パネルに駆動用ＩＣからフレキシブル配線板までの配線を引く必要が無いことから、小型化を実現できる。
小型化に伴い、液晶表示パネルの理収がアップし、低価格化を実現できる。
また、駆動用ＩＣからＦＰＣ配線抵抗、およびフレキシブル配線板実装の抵抗削減に伴い、駆動用ＩＣ、パネルパターン面積縮小が可能になり、駆動用ＩＣの小型化、液晶表示パネル装置の小型化を実現できる。
これにより、液晶表示パネル駆動に特に必要とされる電源ラインやグランドラインの低抵抗化を実現することができる。
また、液晶表示装置を、筐体へセットする際用いられる、モールド成形品やプレス加工品の壁となる部分を逃がすことで、更に狭額縁化を実現できる。
さらにまた、直接駆動用ＩＣにフレキシブル配線板が接続されることで、小型化およびＵＶ硬化型樹脂の塗布回数を削減できる。
【００５８】
なお、上記実施形態では、アクティブマトリクス型液晶表示装置に適用した場合を例に採って説明したが、これに限定されるものではなく、エレクトロルミネッセンス（ＥＬ）素子を各画素の電気光学素子として用いたＥＬ表示装置などの他のアクティブマトリクス型表示装置にも同様に適用可能である。
【００５９】
またさらに、上記実施形態に係るアクティブマトリクス型液晶表示装置に代表されるアクティブマトリクス型表示装置は、パーソナルコンピュータ、ワードプロセッサ等のＯＡ機器やテレビジョン受像機などのディスプレイとして用いられる外、特に装置本体の小型化、コンパクト化が進められている携帯電話機やＰＤＡなどの電子機器の表示部として用いて好適なものである。
【００６０】
すなわち、本実施形態における表示装置２０は、図１４（ａ）〜（ｇ）に示す様々な電子機器、たとえば、デジタルカメラ、ノート型パーソナルコンピュータ、携帯電話、ビデオカメラなど、電子機器に入力された、若しくは、電子機器内で生成した映像信号を、画像若しくは映像として表示するあらゆる分野の電子機器の表示装置に適用することが可能である。
【００６１】
なお、本発明の実施形態に係る表示装置は、図１５に開示したような、封止された構成のモジュール形状のものをも含む。
たとえば、画素アレイ部（有効表示領域）２５０を囲むようにシーリング部２５１が設けられ、このシーリング部を２５１接着剤として透明な、ガラス等の対向部１５２に貼り付けられ形成された表示モジュールが該当する。
この透明な対向部２５２には、カラーフィルタ、保護膜、遮光膜等が設けられてもよい。なお、表示モジュールには、外部から画素アレイ部への信号等を入出力するためのＦＰＣ（フレキシブルプリントサーキット）２５３が設けられていてもよい。
以下、このような表示装置が適用された電子機器の例を示す。
【００６２】
図１４（ａ）は本発明が適用されたテレビジョン３００の一例を示す。このテレビジョン３００は、フロントパネル３０１、フィルターガラス３０２等から構成される映像表示画面３０３を含み、本発明の実施形態に係る表示装置をその映像表示画面３０３に用いることにより作製される。
【００６３】
図１４（ｂ），（ｃ）は本発明が適用されたデジタルカメラ３１０の一例を示す。デジタルカメラ３１０は、撮像レンズ３１１、フラッシュ用の発光部３１２、表示部３１３、コントロールスイッチ３１４等を含み、本発明の実施形態に係る表示装置をその表示部３１３に用いることにより作製される。
【００６４】
図９（ｄ）は本発明が適用されたビデオカメラ３２０を示す。ビデオカメラ３２０は、本体部３２１、前方を向いた側面に被写体撮影用のレンズ３２２、撮影時のスタート／ストップスイッチ３２３、表示部３２４等を含み、本発明の実施形態に係る表示装置をその表示部２２４に用いることにより作製される。
【００６５】
図１４（ｅ），（ｆ）は本発明が適用された携帯端末装置３３０を示す。携帯端末装置３３０は、上側筐体３３１、下側筐体３３２、連結部（ここではヒンジ部）３３３、ディスプレイ３３４、サブディスプレイ３３５、ピクチャーライト３３６、カメラ３３７等を含み、本発明の実施形態に係る表示装置をそのディスプレイ３３４やサブディスプレイ３３５に用いることにより作製される。
【００６６】
図１４（ｇ）は本発明が適用されたノート型パーソナルコンピュータ３４０を示す。ノート型パーソナルコンピュータ３４０は、本体３４１に、文字等を入力するとき操作されるキーボード３４２、画像を表示する表示部３４３等を含み、本発明の実施形態に係る表示装置をその表示部３４３に用いることにより作製される。
【図面の簡単な説明】
【００６７】
【図１】一般的な液晶表示装置の構成例を示す側面図である。
【図２】一般的な液晶表示装置の構成例を示す正面図である。
【図３】本発明の第１の実施形態に係る液晶表示装置の構成例を示す側面図である。
【図４】本発明の第１の実施形態に係る液晶表示装置の構成例を示す正面図である。
【図５】本実施形態に係る駆動用ＩＣの液晶表示パネルおよびフレキシブル配線板との接続構造例を示す図である。
【図６】本実施形態に係る駆動用ＩＣの第１および第２の接続部の配置例を示す図である。
【図７】基板配線を多層配線とした例を示す図である。
【図８】一般的な液晶表示装置と本第１の実施形態に係る液晶表示装置とのサイズを比較して示す図である。
【図９】本発明の第２の実施形態に係る液晶表示装置の構成例を示す正面図である。
【図１０】本発明の第３の実施形態に係る液晶表示装置の構成例を示す側面図である。
【図１１】一般的な液晶表示装置と本第３の実施形態に係る液晶表示装置とのサイズを比較して示す図である。
【図１２】本発明の第４の実施形態に係る液晶表示装置の構成例を示す側面図である。
【図１３】一般的な液晶表示装置と本第４の実施形態に係る液晶表示装置とのサイズを比較して示す図である。
【図１４】本発明の実施形態に係る表示装置が適用される電子機器の例を示す図である。
【図１５】本発明の実施形態に係る表示装置は、封止された構成のモジュール形状のものをも含むことを説明するための図である。
【符号の説明】
【００６８】
２０，２０Ａ〜２０Ｃ・・・液晶表示装置、２１・・・液晶表示パネル、２１ｃ・・・接続部、２２・・・駆動用ＩＣ（集積モジュール）、２２１・・・第１の接続部、２２２・・・第２の接続部、２２３・・・間隙部、２３・・・フレキシブル配線、２３４・・・接続部、２４，２５・・・偏光板、２６，２７・・・異方性導電膜（ＡＣＦ）、３０・・・保護部、４０・・・支持部、３００・・・テレビジョン、３１０・・・デジタルカメラ、３２０・・・ビデオカメラ、３３０・・・携帯端末装置、３４０・・・ノート型パーソナルコンピュータ。
【図１】
2008165034.tif 000003
【図２】
2008165034.tif 000004
【図３】
2008165034.tif 000005
【図４】
2008165034.tif 000006
【図５】
2008165034.tif 000007
【図６】
2008165034.tif 000008
【図７】
2008165034.tif 000009
【図８】
2008165034.tif 000010
【図９】
2008165034.tif 000011
【図１０】
2008165034.tif 000012
【図１１】
2008165034.tif 000013
【図１２】
2008165034.tif 000014
【図１３】
2008165034.tif 000015
【図１４】
2008165034.tif 000016
【図１５】
2008165034.tif 000017